(57)【特許請求の範囲】
【請求項１】
半径方向の一端部に形成された一のリードインエリアと、前記半径方向の他端部に形成された一のリードアウトエリアと、を備えたディスク状の記録媒体であって、
前記リードインエリアと前記リードアウトエリアとの間に、
再生されるべき複数の再生情報を非圧縮状態で符号化した非圧縮情報が記録されている非圧縮情報記録領域と、
当該非圧縮情報を管理するための非圧縮情報管理情報が記録されている第１管理情報領域と、
を含む第１領域と、
前記複数の再生情報の一部と同じ内容を含む１以上の他再生情報であって、全ての前記他再生情報は、前記第１領域内に記録されている再生情報の一部と重複する内容である前記他再生情報を圧縮状態で符号化した圧縮情報が記録されている圧縮情報記録領域と、
前記圧縮情報を管理するための圧縮情報管理情報であって、前記非圧縮情報と前記圧縮情報との対応関係を示す対応関係情報を含む圧縮情報管理情報が記録されている第２管理情報領域と、
を含む第２領域と、
が形成されており、
前記非圧縮情報管理情報には、前記非圧縮情報の内のいずれか一又は複数により構成されるグループを示す非圧縮グループ識別情報が含まれ、
前記圧縮情報管理情報には、前記圧縮情報の内のいずれか一又は複数により構成されるグループを示す圧縮グループ識別情報が含まれ、
前記対応関係情報には、当該対応関係情報により対応関係が示されている前記非圧縮情報が含まれているグループを示すグループ番号情報が含まれていることを特徴とする記録媒体。
【請求項２】
請求項１に記載の記録媒体において、
前記対応関係情報は、前記圧縮情報管理情報を参照中において前記記録されている非圧縮情報を検索するための対応関係情報であることを特徴とする記録媒体。
【請求項３】
請求項１又は２に記載の記録媒体において、
前記非圧縮情報管理情報は、前記非圧縮情報の再生態様を制御するための情報を含み、
前記圧縮情報管理情報は、前記圧縮情報の再生態様を制御するための情報を含んでいることを特徴とする記録媒体。
【請求項４】
請求項１又は２に記載の記録媒体において、
前記対応関係情報は、当該圧縮情報に符号化された前記他再生情報と同じ内容の前記再生情報を符号化した前記非圧縮情報のみについての対応関係情報であることを特徴とする記録媒体。
【請求項５】
請求項１から４のいずれか一項に記載の記録媒体において、
前記圧縮情報管理情報は、前記非圧縮情報を再生するときに用いられる再生制御情報を含むことを特徴とする記録媒体。
【請求項６】
記録して再生すべき複数の再生情報を非圧縮状態で符号化し非圧縮情報を生成する非圧縮符号化手段と、
前記生成された非圧縮情報を管理するための非圧縮情報管理情報を生成する第１管理情報生成手段と、
前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化手段と、
前記生成された圧縮情報を管理するための圧縮情報管理情報であって、前記非圧縮情報と前記圧縮情報との対応関係を示す対応関係情報を含む圧縮情報管理情報を生成する第２管理情報生成手段と、
各前記生成された非圧縮情報、非圧縮情報管理情報、圧縮情報及び圧縮情報管理情報を、記録媒体に記録する記録手段と、
を備え、
前記記録媒体は半径方向の一端部に形成された一のリードインエリアと、前記半径方向の他端部に形成された一のリードアウトエリアと、を備えたディスク状の記録媒体であり、
前記記録手段は、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録し、
更に前記非圧縮情報管理情報には、前記非圧縮情報の内のいずれか一又は複数により構成されるグループを示す非圧縮グループ識別情報が含まれ、
前記圧縮情報管理情報には、前記圧縮情報の内のいずれか一又は複数により構成されるグループを示す圧縮グループ識別情報が含まれ、
前記対応関係情報には、当該対応関係情報により対応関係が示されている前記非圧縮情報が含まれているグループを示すグループ番号情報が含まれていることを特徴とする情報記録装置。
【請求項７】
請求項６に記載の情報記録装置において、
前記対応関係情報は、前記圧縮情報管理情報を参照中において前記記録されている非圧縮情報を検索するための対応関係情報であることを特徴とする情報記録装置。
【請求項８】
請求項６又は７に記載の情報記録装置において、
前記非圧縮情報管理情報は、前記非圧縮情報の再生態様を制御するための情報を含み、
前記圧縮情報管理情報は、前記圧縮情報の再生態様を制御するための情報を含んでいることを特徴とする情報記録装置。
【請求項９】
請求項６又は７に記載の情報記録装置において、
前記対応関係情報は、当該圧縮情報に符号化された前記他再生情報と同じ内容の前記再生情報を符号化した前記非圧縮情報のみについての対応関係情報であることを特徴とする情報記録装置。
【請求項１０】
請求項６から９のいずれか一項に記載の情報記録装置において、
前記圧縮情報管理情報は、前記非圧縮情報を再生するときに用いられる再生制御情報を含むことを特徴とする情報記録装置。
【請求項１１】
請求項１から５のいずれか一項に記載の記録媒体から前記圧縮情報又は前記非圧縮情報の少なくともいずれか一方を再生する情報再生装置であって、
前記再生情報を前記記録媒体から検出して再生する再生処理を行うか、又は当該再生情報を前記記録媒体から検出して他の記録媒体に複写する複写処理を行うかのいずれか一方を選択するために用いられる選択手段と、
前記選択手段により前記再生処理を行うことが選択されたとき、当該再生すべき再生情報に対応する前記非圧縮情報を前記記録媒体から検出して再生する再生手段と、
前記選択手段により前記複写処理を行うことが選択されたとき、当該複写すべき再生情報に対応する前記圧縮情報を前記記録媒体から検出して当該複写処理に供させる検出手段と、
を備えることを特徴とする情報再生装置。
【請求項１２】
記録して再生すべき複数の再生情報を非圧縮状態で符号化し非圧縮情報を生成する非圧縮符号化工程と、
前記生成された非圧縮情報を管理するための非圧縮情報管理情報を生成する第１管理情報生成工程と、
前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化工程と、
前記生成された圧縮情報を管理するための圧縮情報管理情報であって、前記非圧縮情報と前記圧縮情報との対応関係を示す対応関係情報を含む圧縮情報管理情報を生成する第２管理情報生成工程と、
各前記生成された非圧縮情報、非圧縮情報管理情報、圧縮情報及び圧縮情報管理情報を、記録媒体に記録する記録工程と、
を含み、
前記記録媒体は半径方向の一端部に形成された一のリードインエリアと、前記半径方向の他端部に形成された一のリードアウトエリアと、を備えたディスク状の記録媒体であり、
前記記録工程においては、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録し、
更に前記非圧縮情報管理情報には、前記非圧縮情報の内のいずれか一又は複数により構成されるグループを示す非圧縮グループ識別情報が含まれ、
前記圧縮情報管理情報には、前記圧縮情報の内のいずれか一又は複数により構成されるグループを示す圧縮グループ識別情報が含まれ、
前記対応関係情報には、当該対応関係情報により対応関係が示されている前記非圧縮情報が含まれているグループを示すグループ番号情報が含まれていることを特徴とする情報記録方法。
【請求項１３】
請求項１から５のいずれか一項に記載の記録媒体から前記圧縮情報又は前記非圧縮情報の少なくともいずれか一方を再生する情報再生方法であって、
前記再生情報を前記記録媒体から検出して再生する再生処理を行うか、又は当該再生情報を前記記録媒体から検出して他の記録媒体に複写する複写処理を行うかのいずれか一方を選択する選択工程と、
前記選択工程において前記再生処理を行うことが選択されたとき、当該再生すべき再生情報に対応する前記非圧縮情報を前記記録媒体から検出して再生する再生工程と、
前記選択工程において前記複写処理を行うことが選択されたとき、当該複写すべき再生情報に対応する前記圧縮情報を前記記録媒体から検出して当該複写処理に供させる検出工程と、
を含むことを特徴とする情報再生方法。
【請求項１４】
記録して再生すべき複数の再生情報を記録媒体に記録する情報記録装置に含まれる記録コンピュータを、
前記再生情報を非圧縮状態で符号化し非圧縮情報を生成する非圧縮符号化手段、
前記生成された非圧縮情報を管理するための非圧縮情報管理情報を生成する第１管理情報生成手段、
前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化手段、
前記生成された圧縮情報を管理するための圧縮情報管理情報であって、前記非圧縮情報と前記圧縮情報との対応関係を示す対応関係情報を含む圧縮情報管理情報を生成する第２管理情報生成手段、及び、
各前記生成された非圧縮情報、非圧縮情報管理情報、圧縮情報及び圧縮情報管理情報を、記録媒体に記録する記録手段、
として機能させると共に、
前記記録媒体は半径方向の一端部に形成された一のリードインエリアと、前記半径方向の他端部に形成された一のリードアウトエリアと、を備えたディスク状の記録媒体であり、
前記記録手段として機能する前記記録コンピュータを、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録するように機能させ、
更に前記非圧縮情報管理情報には、前記非圧縮情報の内のいずれか一又は複数により構成されるグループを示す非圧縮グループ識別情報が含まれ、
前記圧縮情報管理情報には、前記圧縮情報の内のいずれか一又は複数により構成されるグループを示す圧縮グループ識別情報が含まれ、
前記対応関係情報には、当該対応関係情報により対応関係が示されている前記非圧縮情報が含まれているグループを示すグループ番号情報が含まれていることを特徴とする情報記録用プログラム。
【請求項１５】
請求項１から５のいずれか一項に記載の記録媒体から前記圧縮情報又は前記非圧縮情報の少なくともいずれか一方を再生する情報再生装置に含まれる再生コンピュータを、
前記再生情報を前記記録媒体から検出して再生する再生処理を行うか、又は当該再生情報を前記記録媒体から検出して他の記録媒体に複写する複写処理を行うかのいずれか一方を選択するために用いられる選択手段、
前記選択手段により前記再生処理を行うことが選択されたとき、当該再生すべき再生情報に対応する前記非圧縮情報を前記記録媒体から検出して再生する再生手段、及び、
前記選択手段により前記複写処理を行うことが選択されたとき、当該複写すべき再生情報に対応する前記圧縮情報を前記記録媒体から検出して当該複写処理に供させる検出手段、
として機能させることを特徴とする情報再生用プログラム。
【請求項１６】
請求項１４に記載の情報記録用プログラムが前記記録コンピュータで読取可能に記録されていることを特徴とする情報記録媒体。
【請求項１７】
請求項１５に記載の情報再生用プログラムが前記再生コンピュータで読取可能に記録されていることを特徴とする情報記録媒体。
【発明の詳細な説明】
【技術分野】
【０００１】
本願は、情報記録装置及び情報再生装置、情報記録方法及び情報再生方法、情報記録用プログラム及び情報再生用プログラム、情報記録媒体並びに記録媒体の技術分野に属し、より詳細には、同じ内容を有する再生情報が異なる属性で記録されている記録媒体、当該記録媒体に当該再生情報を記録するための情報記録装置及び情報記録方法、当該記録媒体から再生情報を再生する情報再生装置及び情報再生方法、当該情報記録又は情報再生用の情報記録用プログラム及び情報再生用プログラム並びにこれらのプログラムが記録された情報記録媒体の技術分野に属する。
【背景技術】
【０００２】
近年、従来のＣＤ（Compact  Disc）よりも飛躍的に記録容量を向上させたいわゆるＤＶＤ（Digital Versatile Disc）が広く一般化しており、その種類として再生専用のＤＶＤだけでなく、使用者が自ら音楽や画像を記録することが可能なＤＶＤも一般化してきた。【０００３】
ここで、上述した如き従来のＤＶＤでは、当該ＤＶＤに音楽情報を記録する場合、当該記録すべき音楽情報を高音質に保ったまま記録すべく、当該音楽情報をいわゆるＬＰＣＭ（Linear
Pulse Code Modulation）方式で符号化して記録していた。この場合、当該ＬＰＣＭ方式で記録された音楽情報は、そのＬＰＣＭ方式に対応した再生機能（復号機能）を備える情報再生装置でのみＤＶＤから検出して再生することが可能であることとなる。
【発明の開示】
【発明が解決しようとする課題】
【０００４】
しかしながら、上述した従来の音楽情報の記録方式によると、記録されている音楽情報の符号化方式が上記ＬＰＣＭ方式のみであったため、例えば、当該ＬＰＣＭ方式で符号化されて記録されている音楽情報を再生する機能を有さないパーソナルコンピュータ等の場合、当該パーソナルコンピュータ等を用いた簡易再生処理が実行不可能であったり、或いはＬＰＣＭ方式で符号化されている音楽情報がその高音質さ故に他の記録媒体への複写処理の実行が禁止されていたりと、音楽情報そのものの取り扱いの自由度が低いと言う問題点があった。【０００５】
そこで、本願は上記の問題点に鑑みて為されたもので、その課題の一例は、高音質のＬＰＣＭ方式で符号化して音楽情報が記録されている場合であっても、その取り扱いの利便性を向上させることが可能な情報記録装置及び情報記録方法、当該情報記録装置又は情報記録方法により記録された音楽情報を利便性よく再生することが可能な情報再生装置及び情報再生方法、当該情報記録又は情報再生用の情報記録用プログラム及び情報再生用プログラム並びにこれらのプログラムが記録された情報記録媒体を提供することにある。
【課題を解決するための手段】
【０００６】
上記の課題を解決するために、請求項１に記載の発明は、半径方向の一端部に形成された一のリードインエリアと、前記半径方向の他端部に形成された一のリードアウトエリアと、を備えたディスク状の記録媒体であって、前記リードインエリアと前記リードアウトエリアとの間に、再生されるべき複数の再生情報を非圧縮状態で符号化した非圧縮情報が記録されている非圧縮情報記録領域と、当該非圧縮情報を管理するための非圧縮情報管理情報が記録されている第１管理情報領域と、を含む第１領域と、前記複数の再生情報の一部と同じ内容を含む１以上の他再生情報であって、全ての前記他再生情報は、前記第１領域内に記録されている再生情報の一部と重複する内容である前記他再生情報を圧縮状態で符号化した圧縮情報が記録されている圧縮情報記録領域と、前記圧縮情報を管理するための圧縮情報管理情報であって、前記非圧縮情報と前記圧縮情報との対応関係を示す対応関係情報を含む圧縮情報管理情報が記録されている第２管理情報領域と、を含む第２領域と、が形成されており、前記非圧縮情報管理情報には、前記非圧縮情報の内のいずれか一又は複数により構成されるグループを示す非圧縮グループ識別情報が含まれ、前記圧縮情報管理情報には、前記圧縮情報の内のいずれか一又は複数により構成されるグループを示す圧縮グループ識別情報が含まれ、前記対応関係情報には、当該対応関係情報により対応関係が示されている前記非圧縮情報が含まれているグループを示すグループ番号情報が含まれている。
【０００７】
上記の課題を解決するために、請求項６に記載の発明は、記録して再生すべき複数の再生情報を非圧縮状態で符号化し非圧縮情報を生成する圧縮符号化部等の非圧縮符号化手段と、前記生成された非圧縮情報を管理するための非圧縮情報管理情報を生成するＣＰＵ等の第１管理情報生成手段と、前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化手段と、前記生成された圧縮情報を管理するための圧縮情報管理情報であって、前記非圧縮情報と前記圧縮情報との対応関係を示す対応関係情報を含む圧縮情報管理情報を生成するＣＰＵ等の第２管理情報生成手段と、各前記生成された非圧縮情報、非圧縮情報管理情報、圧縮情報及び圧縮情報管理情報を、記録媒体に記録するピックアップ等の記録手段と、を備え、前記記録媒体は半径方向の一端部に形成された一のリードインエリアと、前記半径方向の他端部に形成された一のリードアウトエリアと、を備えたディスク状の記録媒体であり、前記記録手段は、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録し、更に前記非圧縮情報管理情報には、前記非圧縮情報の内のいずれか一又は複数により構成されるグループを示す非圧縮グループ識別情報が含まれ、前記圧縮情報管理情報には、前記圧縮情報の内のいずれか一又は複数により構成されるグループを示す圧縮グループ識別情報が含まれ、前記対応関係情報には、当該対応関係情報により対応関係が示されている前記非圧縮情報が含まれているグループを示すグループ番号情報が含まれている。
【０００８】
上記の課題を解決するために、請求項１１に記載の発明は、請求項１から５のいずれか一項に記載の記録媒体から前記圧縮情報又は前記非圧縮情報の少なくともいずれか一方を再生する情報再生装置であって、前記再生情報を前記記録媒体から検出して再生する再生処理を行うか、又は当該再生情報を前記記録媒体から検出して他の記録媒体に複写する複写処理を行うかのいずれか一方を選択するために用いられる操作部等の選択手段と、前記選択手段により前記再生処理を行うことが選択されたとき、当該再生すべき再生情報に対応する前記非圧縮情報を前記記録媒体から検出して再生するＣＰＵ等の再生手段と、前記選択手段により前記複写処理を行うことが選択されたとき、当該複写すべき再生情報に対応する前記圧縮情報を前記記録媒体から検出して当該複写処理に供させるＣＰＵ等の検出手段と、を備える。
【０００９】
上記の課題を解決するために、請求項１２に記載の発明は、記録して再生すべき複数の再生情報を非圧縮状態で符号化し非圧縮情報を生成する非圧縮符号化工程と、前記生成された非圧縮情報を管理するための非圧縮情報管理情報を生成する第１管理情報生成工程と、前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化工程と、前記生成された圧縮情報を管理するための圧縮情報管理情報であって、前記非圧縮情報と前記圧縮情報との対応関係を示す対応関係情報を含む圧縮情報管理情報を生成する第２管理情報生成工程と、各前記生成された非圧縮情報、非圧縮情報管理情報、圧縮情報及び圧縮情報管理情報を、記録媒体に記録する記録工程と、を含み、前記記録媒体は半径方向の一端部に形成された一のリードインエリアと、前記半径方向の他端部に形成された一のリードアウトエリアと、を備えたディスク状の記録媒体であり、前記記録工程においては、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録し、更に前記非圧縮情報管理情報には、前記非圧縮情報の内のいずれか一又は複数により構成されるグループを示す非圧縮グループ識別情報が含まれ、前記圧縮情報管理情報には、前記圧縮情報の内のいずれか一又は複数により構成されるグループを示す圧縮グループ識別情報が含まれ、前記対応関係情報には、当該対応関係情報により対応関係が示されている前記非圧縮情報が含まれているグループを示すグループ番号情報が含まれている。
【００１０】
上記の課題を解決するために、請求項１３に記載の発明は、請求項１から５のいずれか一項に記載の記録媒体から前記圧縮情報又は前記非圧縮情報の少なくともいずれか一方を再生する情報再生方法であって、前記再生情報を前記記録媒体から検出して再生する再生処理を行うか、又は当該再生情報を前記記録媒体から検出して他の記録媒体に複写する複写処理を行うかのいずれか一方を選択する選択工程と、前記選択工程において前記再生処理を行うことが選択されたとき、当該再生すべき再生情報に対応する前記非圧縮情報を前記記録媒体から検出して再生する再生工程と、前記選択工程において前記複写処理を行うことが選択されたとき、当該複写すべき再生情報に対応する前記圧縮情報を前記記録媒体から検出して当該複写処理に供させる検出工程と、を含む。
【００１１】
上記の課題を解決するために、請求項１４に記載の発明は、記録して再生すべき複数の再生情報を記録媒体に記録する情報記録装置に含まれる記録コンピュータを、前記再生情報を非圧縮状態で符号化し非圧縮情報を生成する非圧縮符号化手段、前記生成された非圧縮情報を管理するための非圧縮情報管理情報を生成する第１管理情報生成手段、前記複数の再生情報の一部と同じ内容を含む１以上の他再生情報であって、全ての前記他再生情報は、第１領域内に記録されている再生情報の一部と重複する内容である前記他再生情報を圧縮状態で符号化し圧縮情報を生成する圧縮符号化手段、前記生成された圧縮情報を管理するための圧縮情報管理情報であって、前記非圧縮情報と前記圧縮情報との対応関係を示す対応関係情報を含む圧縮情報管理情報を生成する第２管理情報生成手段、及び、各前記生成された非圧縮情報、非圧縮情報管理情報、圧縮情報及び圧縮情報管理情報を、記録媒体に記録する記録手段、として機能させると共に、前記記録媒体は半径方向の一端部に形成された一のリードインエリアと、前記半径方向の他端部に形成された一のリードアウトエリアと、を備えたディスク状の記録媒体であり、前記記録手段として機能する前記記録コンピュータを、前記リードインエリアと前記リードアウトエリアとの間の記録領域に、前記生成された非圧縮情報が記録されている非圧縮情報記録領域と前記生成された非圧縮情報管理情報が記録されている第１管理情報領域とを含む前記第１領域と、前記生成された圧縮情報が記録されている圧縮情報記録領域と前記生成された圧縮情報管理情報が記録されている第２管理情報領域とを含む第２領域と、が形成されるように、前記非圧縮情報、前記非圧縮情報管理情報、前記圧縮情報及び前記圧縮情報管理情報を記録するように機能させ、更に前記非圧縮情報管理情報には、前記非圧縮情報の内のいずれか一又は複数により構成されるグループを示す非圧縮グループ識別情報が含まれ、前記圧縮情報管理情報には、前記圧縮情報の内のいずれか一又は複数により構成されるグループを示す圧縮グループ識別情報が含まれ、前記対応関係情報には、当該対応関係情報により対応関係が示されている前記非圧縮情報が含まれているグループを示すグループ番号情報が含まれている。
【００１２】
上記の課題を解決するために、請求項１５に記載の発明は、請求項１から５のいずれか一項に記載の記録媒体から前記圧縮情報又は前記非圧縮情報の少なくともいずれか一方を再生する情報再生装置に含まれる再生コンピュータを、前記再生情報を前記記録媒体から検出して再生する再生処理を行うか、又は当該再生情報を前記記録媒体から検出して他の記録媒体に複写する複写処理を行うかのいずれか一方を選択するために用いられる選択手段、前記選択手段により前記再生処理を行うことが選択されたとき、当該再生すべき再生情報に対応する前記非圧縮情報を前記記録媒体から検出して再生する再生手段、及び、前記選択手段により前記複写処理を行うことが選択されたとき、当該複写すべき再生情報に対応する前記圧縮情報を前記記録媒体から検出して当該複写処理に供させる検出手段、として機能させる。
【００１３】
上記の課題を解決するために、請求項１６に記載の発明は、請求項１４に記載の情報記録用プログラムが前記記録コンピュータで読取可能に記録されている。
【００１４】
上記の課題を解決するために、請求項１７に記載の発明は、請求項１５に記載の情報再生用プログラムが前記再生コンピュータで読取可能に記録されている。
【図面の簡単な説明】
【００１５】
【図１】実施形態に係る記録フォーマットを例示する図である。
【図２】実施形態のレコーダの概要構成を示すブロック図である。
【図３】実施形態のレコーダにおける記録処理を示すフローチャートである。
【図４】実施形態のプレーヤの概要構成を示すブロック図である。
【図５】実施形態のプレーヤにおける再生処理を示すフローチャートである。
【図６】実施形態のプレーヤにおける記録処理を示すフローチャートである。
【符号の説明】
【００１６】
１    ＤＶＤ
３、２１    ピックアップ
５    マルチプレクサ
６    第１重畳部
７    第２重畳部
８    圧縮符号化部
１０、２７    ＣＰＵ
２３    復号部
２６    複写制御部
５０    グループ番号情報
５１    トラック番号情報
５２    コピー制御情報
５３    符号化情報
５４    アドレス情報
Ｒ    レコーダ
Ｐ    プレーヤ
ＲＲ    対応情報
【発明を実施するための最良の形態】
【００１７】
次に、本願を実施するための最良の形態について、図面に基づいて説明する。なお、以下に説明する実施形態は、他の記録媒体への複写制限の対象となる複数の音楽に夫々対応する複数の音楽情報が非圧縮状態でＬＰＣＭ方式により符号化されて記録されていると共に、当該非圧縮状態で記録されている音楽情報の内のいずれかの音楽情報が圧縮された状態で他の記録媒体へ複写可能とされて記録されているＤＶＤに対して本願を適用した場合の実施の形態である。【００１８】
また、図１は実施形態に係るＤＶＤにおける物理的な記録フォーマットを例示する図であり、図２は実施形態に係るＤＶＤに対して上述した如き態様にて複数の音楽情報を記録するためのレコーダの概要構成を示すブロック図であり、図３は当該レコーダにおいて実行される実施形態に係る記録処理を示すフローチャートであり、図４は図１に示す記録フォーマットにて音楽情報が記録されているＤＶＤから当該音楽情報を再生するためのプレーヤの概要構成を示すブロック図であり、図５は当該プレーヤにおいて実行される実施形態に係る再生処理を示すフローチャートである。【００１９】
（Ｉ）記録フォーマットの実施形態
始めに、本願に係るＤＶＤにおける上記記録フォーマットについて、具体的に図１を用いて例示しつつ説明する。なお、図１は、複写制限の対象として上記ＬＰＣＭ方式により符号化された１０曲分の音楽情報が記録されていると共に、そのＬＰＣＭ方式で符号化された１０曲分の音楽情報のうち、５番目と７番目と１０番目の音楽情報が自由複写可能としていわゆるＭＰ−３（MPEG（Moving
Picture Expert Group） audio layer-3）方式で圧縮されて記録されているＤＶＤの記録フォーマットを例示する図である。【００２０】
図１に示すように、実施形態に係るＤＶＤ１には、その内周側から、上記音楽情報を再生する際に最初に読み出されるべき開始制御情報等が記録されているリードインエリアＬＩと、実際に各音楽情報が相互に識別可能に記録されているデータゾーンＺと、上記音楽情報の再生を終了する際に読み出されるべき終了制御情報等が記録されているリードアウトエリアＬＯと、が形成されている。【００２１】
そして、データゾーンＺは、上記ＬＰＣＭ方式で符号化された音楽情報が記録されている第１ゾーンＺ１と、上記ＭＰ−３方式で圧縮符号化された音楽情報が記録されている第２ゾーンＺ２と、により構成されている。【００２２】
このとき、第１ゾーンＺ１内には、上記ＬＰＣＭ方式で非圧縮状態で符号化された第１音楽情報Ｍ１乃至第１０音楽情報Ｍ１０が記録されており、更に各音楽情報Ｍに対して内周側に当該各音楽情報Ｍを再生する際の再生態様を制御するために用いられる管理情報等が第１管理情報Ｇ１として記録されている。ここで、当該第１管理情報Ｇ１の内容として具体的には、例えば、各音楽情報Ｍが記録されているＤＶＤ１上の記録位置を示すアドレス情報や、各音楽情報Ｍの内のいずれか一又は複数により構成されるグループを示すグループ識別情報、或いは、各音楽情報Ｍを他の記録媒体に複写する際の複写制御情報（より具体的には、各音楽情報Ｍ毎に、複写禁止であるのか、一回のみ複写可能であるのか等を示す複写制御情報）、又は各音楽情報Ｍの符号化における細部情報等が含まれている。【００２３】
一方、第２ゾーンＺ２内には、上記ＭＰ−３方式で圧縮符号化された音楽情報であって、上記第５音楽情報Ｍ５、第７音楽情報Ｍ７及び第１０音楽情報Ｍ１０に夫々対応する曲を圧縮符号化した音楽情報である第５圧縮音楽情報ＰＭ５と、第７圧縮音楽情報ＰＭ７と、第１０圧縮音楽情報ＰＭ１０と、が記録されており、更に各圧縮音楽情報ＰＭに対して第２ゾーンＺ２内における内周側に当該各圧縮音楽情報ＰＭを再生する際の再生態様を制御するために用いられる管理情報等が第２管理情報Ｇ２として記録されている。【００２４】
次に、当該第２管理情報Ｇ２には、第５圧縮音楽情報ＰＭ５に対応する第１圧縮管理情報ＧＰＭ１と、第７圧縮音楽情報ＰＭ７に対応する第２圧縮管理情報ＧＰＭ２と、第１０圧縮音楽情報ＰＭ１０に対応する第３圧縮管理情報ＧＰＭ３と、各圧縮音楽情報ＰＭに対応する上記音楽情報Ｍである第５音楽情報Ｍ５、第７音楽情報Ｍ７並びに第１０音楽情報Ｍ１０に関する情報である対応情報ＲＲと、が含まれている。ここで、各圧縮管理情報ＧＰＭの内容として具体的には、上記第１管理情報Ｇ１と同様に、例えば、夫々に対応する各圧縮音楽情報ＰＭが記録されているＤＶＤ１上の記録位置を示すアドレス情報や、各圧縮音楽情報ＰＭの内のいずれか一又は複数に構成されるグループを示すグループ識別情報、或いは、各圧縮音楽情報ＰＭを他の記録媒体に複写する際の複写制御情報（より具体的には、自由複写可能であることを示す複写制御情報）、又は各圧縮音楽情報ＰＭの符号化における細部情報等が含まれている。【００２５】
一方、対応情報ＲＲには、第５圧縮音楽情報ＰＭ５に対応する第５音楽情報Ｍ５を示す第５対応情報ＲＲ５と、第７圧縮音楽情報ＰＭ７に対応する第５音楽情報Ｍ７を示す第７対応情報ＲＲ７と、第１０圧縮音楽情報ＰＭ１０に対応する第１０音楽情報Ｍ１０を示す第１０対応情報ＲＲ１０と、が含まれている。【００２６】
そして、各対応情報ＲＲｎは、夫々に、対応する音楽情報Ｍが属する上記グループを示すグループ番号情報５０と、対応する音楽情報Ｍ自体の番号を示すトラック番号情報５１と、対応する音楽情報Ｍ自体の複写制限状態を示すコピー制御情報５２と、対応する音楽情報Ｍにおける符号化方式の細部を示す符号化情報５３と、対応する音楽情報Ｍが記録されているＤＶＤ１上の記録位置を示すアドレス情報５４と、各対応情報ＲＲｎとしてのその他の情報である他情報５５と、により構成されている。なお、上記符号化情報５３の細部としては、例えば、符号化方式自体（実施形態の場合はＬＰＣＭ方式）を識別するための符号化識別情報、当該符号化方式における周波数帯域や量子化ビット数を示す情報、又は符号化におけるチャンネル数を示す情報等が含まれる。【００２７】
以上説明したように、圧縮音楽情報ＰＭを管理するための第２管理情報Ｇ２内に上記対応情報ＲＲｎが夫々の圧縮音楽情報ＰＭに対応して記録されているので、後述する如き実施形態の再生処理が可能となるのである。【００２８】
また、音楽として相互に同じ内容を有する音楽情報Ｍとこれに対応する圧縮音楽情報ＰＭとが、相互に符号化形式の異なる（具体的には、音楽情報ＭがＬＰＣＭ方式、圧縮音楽情報ＰＭがＭＰ−３方式）複数の情報として記録されているので、再生可能なプレーヤの種類を拡大することができる。【００２９】
更に、上記の構成により、プレーヤにおける復号機能に応じた迅速な再生も可能となる。すなわち、例えば、ＬＰＣＭ方式に準拠した再生機能を搭載したＤＶＤプレーヤにおいて再生処理が行われる場合には高音質なＬＰＣＭ方式により再生処理が行われ、一方ＬＰＣＭ方式に準拠した再生機能を持たないパーソナルコンピュータ等において再生処理が行われる場合には、ＭＰ−３方式による再生処理を実行すればよいことになる。【００３０】
（II）レコーダの実施形態
次に、上述したＤＶＤ１の記録フォーマットに沿ってＤＶＤ１に実際に音楽情報Ｍ又は圧縮音楽情報ＰＭを記録するためのレコーダの実施形態について、図２及び図３を用いて説明する。【００３１】
図２に示すように、実施形態に係るレコーダＲは、ＤＶＤ１を予め設定された回転数で回転させるスピンドルモータ２と、記録手段としてのピックアップ３と、駆動部４と、マルチプレクサ５と、第１重畳部６と、第２重畳部７と、圧縮符号化手段及び非圧縮符号化手段としての圧縮符号化部８と、Ａ／Ｄ（Analog/Digital）コンバータ９と、第１管理情報生成手段及び第２管理情報生成手段としてのＣＰＵ１０と、ディスプレイ１１と、操作部１２と、により構成されている。【００３２】
次に、全体動作を説明する。
先ず、ＤＶＤ１に記録されるべき曲は、各曲毎に、アナログ信号である入力情報Ｓinとして外部から入力されて来る。【００３３】
そして、Ａ／Ｄコンバータ９は、当該入力されてきた入力情報Ｓinをデジタル化し、デジタル入力情報Ｓdinとして圧縮符号化部８へ出力する。【００３４】
次に、圧縮符号化部８は、各曲毎に入力されてくるデジタル入力情報Ｓdinのうち後述するようにＣＰＵ１０から指定されたものを例えばＭＰ−３方式により圧縮すると共に符号化し、上記圧縮音楽情報ＰＭである圧縮音楽情報Ｓmpとして第２重畳部７へ出力する。これと並行して圧縮符号化部８は、上記ＣＰＵ１０から指定されたデジタル入力情報Ｓdin以外の全てのデジタル入力情報Ｓdinを上記ＬＰＣＭ方式により符号化し、上記音楽情報Ｍである音楽情報Ｓlpcmとして第１重畳部６へ出力する。【００３５】
そして、第１重畳部６は、出力されて来た音楽情報Ｓlpcmに対して後述する如くＣＰＵ１０から出力されてくる第１管理情報Ｇ１となるべき管理情報Ｓc1を重畳し、重畳情報Ｓlmとしてマルチプレクサ５に出力する。【００３６】
他方、第２重畳部７は、出力されて来た音楽情報Ｓmpに対して後述する如くＣＰＵ１０から出力されてくる第２管理情報Ｇ２となるべき管理情報Ｓc2を重畳し、重畳情報Ｓpmとしてマルチプレクサ５に出力する。【００３７】
これらにより、マルチプレクサ５は、上記重畳情報ＳlmとＳpmとを図１に示す記録フォーマットに則って重畳し、重畳情報Ｓmxとして駆動部４へ出力する。【００３８】
そして、駆動部４は、当該重畳情報Ｓmxの変化に応じてピックアップ３内の図示しない半導体レーザを変調駆動すべく駆動信号Ｓdを生成して当該ピックアップ３に出力する。【００３９】
その後、ピックアップ３は、当該駆動信号Ｓdに基づいて上記半導体レーザを駆動し、ＤＶＤ１に対する記録用光ビームとしての光ビームＢを出射して実際の記録ピットを形成し、音楽情報Ｍ及び圧縮音楽情報ＰＭ並びに各管理情報Ｇ１及びＧ２を図１に示す記録フォーマットに則ってＤＶＤ１上に記録する。【００４０】
このとき、当該光ビームＢの焦点位置の制御（トラッキングサーボ制御及びフォーカスサーボ制御）は、ピックアップ３内の図示しないアクチュエータの駆動により実行される。また、スピンドルモータ２の回転制御は図示しないスピンドルサーボ制御機構により実行される。【００４１】
以上の動作を実現するために、ＣＰＵ１０は、リモコン等よりなる操作部１２における操作に基づく操作信号Ｓopに対応して上記音楽情報Ｍとしてのみ記録すべき曲と上記圧縮音楽情報ＰＭとしても記録する曲（図１に示す例では、第５音楽情報Ｍ５、第７音楽情報Ｍ７及び第１０音楽情報Ｍ１０に夫々対応する曲）とを峻別するための制御信号Ｓccを圧縮符号化部８へ出力すると共に、上記各管理情報Ｓc1及びＳc2を上記操作信号Ｓopに基づいて生成して対応する各構成部材に出力する。これと並行して、ＣＰＵ１０は、レコーダＲの動作状態を表示するための表示信号Ｓdpを生成し、これを液晶ディスプレイ等よりなるディスプレイ１１に出力して当該動作状態を表示させる。【００４２】
次に、上述してきた構成を備えるレコーダＲにおける実施形態にかかる記録処理について、具体的に図３を用いて説明する。【００４３】
図３に示すように、実施形態の記録処理は、先ず入力情報Ｓinが入力されてくると（ステップＳ１）、その内容に応じて上記音楽情報Ｍとしてのみ記録すべき曲と上記圧縮音楽情報ＰＭとしても記録する曲とが操作部１２において選択される（ステップＳ２）。【００４４】
そして、その選択状態に応じて、上記音楽情報Ｍとしてのみ記録すべき曲に対応する入力情報ＳinはＬＰＣＭ方式にて符号化し（ステップＳ３）、他方上記圧縮音楽情報ＰＭとしても記録する曲に対応する入力情報ＳinはＬＰＣＭ方式並びにＭＰ−３方式の双方にて（圧縮）符号化し（ステップＳ４）、これらを各管理情報Ｇ１及びＧ２と共にマルチプレクサ５等において重畳して（ステップＳ５）、ＤＶＤ１上に図１に示す記録フォーマットに則って記録する（ステップＳ６）。【００４５】
そして、一連の記録処理が完了したか否かをディスプレイ１１上の表示等を用いて確認し（ステップＳ７）、完了しているのであれば（ステップＳ７；ＹＥＳ）そのまま実施形態の記録処理を終了し、一方、未だ完了していないときは（ステップＳ７；ＮＯ）再度上記ステップＳ１に戻って記録処理を実行すべき入力情報Ｓinに対して上述してきた記録処理を繰り返す。【００４６】
以上の一連の記録処理により、使用者が所望する曲のみを音楽情報Ｍ及び圧縮音楽情報ＰＭとしてＤＶＤ１上に記録すると共に、その他の曲を音楽情報ＭのみとしてＤＶＤ１上に記録することができる。【００４７】
（III）プレーヤの実施形態
次に、図１に示す記録フォーマットに沿って音楽情報Ｍ及び圧縮音楽情報ＰＭが記録されているＤＶＤ１から、当該音楽情報Ｍ又は圧縮音楽情報ＰＭのいずれかに対応する曲を再生するためのプレーヤの実施形態について、図４及び図５を用いて説明する。【００４８】
図４に示すように、実施形態に係るプレーヤＰは、ＤＶＤ１を予め設定された一定の回転数で回転させるスピンドルモータ２０と、ピックアップ２１と、増幅部２２と、復号部２３と、スイッチ２４と、Ｄ／Ａコンバータ２５と、複写制御部２６と、再生手段及び検出手段としてのＣＰＵ２７と、ディスプレイ２８と、選択手段としての操作部２９と、により構成されている。【００４９】
次に、全体動作を説明する。
先ず、ＤＶＤ１からいずれかの音楽情報Ｍ又は圧縮音楽情報ＰＭを再生する場合には、スピンドルモータ２０が予め設定されている一定の回転数でＤＶＤ１を回転させ、この回転されているＤＶＤ１に対して予め設定された一定強度の再生用光ビームである光ビームＢが照射される。このとき、当該光ビームＢの焦点位置の制御は、ピックアップ３内の図示しないアクチュエータの駆動により実行される。また、スピンドルモータ２の回転制御は図示しないスピンドルサーボ制御機構により実行される。更に、実際に再生すべき音楽情報Ｍ又は圧縮音楽情報ＰＭのＤＶＤ１上の記録位置等は、上記第１管理情報Ｇ１又は第２管理情報Ｇ２内の情報に基づいて制御される。【００５０】
そして、ピックアップ２１は、当該光ビームＢのＤＶＤ１からの反射光を図示しないディテクタで受光し、その受光強度に対応する受光信号Ｓppを生成して増幅部２２に出力する。【００５１】
これにより、増幅部２２は、当該受光信号Ｓppを予め設定された増幅度にて増幅し、増幅信号Ｓampを生成して復号部２３へ出力する。【００５２】
そして、復号部２３は、ＣＰＵ２７からの制御信号Ｓccに基づいて、当該増幅信号Ｓampを予め設定された上記ＬＰＣＭ方式に対応する復号方式又は上記ＭＰ−３方式に対応する復号方式のいずれかで復号し、復号信号Ｓdcを生成してスイッチ２４へ出力する。【００５３】
次に、スイッチ２４は、ＣＰＵ２７からの制御信号Ｓcswに基づいて出力端子を切り換え、上記復号信号Ｓdcを再生信号Ｓsw1又は複写信号Ｓsw2として夫々Ｄ／Ａコンバータ２５又は複写制御部２６へ出力する。【００５４】
これにより、Ｄ／Ａコンバータ２５は、出力されてくる再生信号Ｓsw1をアナログ信号である出力信号Ｓoutに変換し、外部の図示しないスピーカ等に出力する。【００５５】
一方、複写制御部２６は、ＣＰＵ２７からの制御信号Ｓcdに基づいて、出力されてくる複写信号Ｓsw2内の上記コピー制御情報５２等の内容を書き換え、複写信号Ｓcpとして外部の図示しない複写用レコーダ等に出力する。【００５６】
以上の動作を実現するために、ＣＰＵ２７は、リモコン等よりなる操作部２９における操作に基づく操作信号Ｓopに対応して上記各制御信号Ｓcc、Ｓcsw及びＳcdを生成して対応する各構成部材に出力する。これと並行して、ＣＰＵ２７は、プレーヤＰの動作状態を表示するための表示信号Ｓdpを生成し、これを液晶ディスプレイ等よりなるディスプレイ２８に出力して当該動作状態を表示させる。【００５７】
次に、上述してきた構成を備えるプレーヤＰにおける実施形態に係る再生処理について、具体的に図５を用いて説明する。【００５８】
図５に示すように、実施形態の再生処理は、先ず当該プレーヤＰにおいて再生処理を実行するか又は複写処理用の複写信号Ｓcpの生成を行うかが、操作部２９において実行された操作（ステップＳ１０）に対応する操作信号Ｓopに基づいて判断される（ステップＳ１１）。【００５９】
そして、当該選択処理（ステップＳ１０）において再生処理が選択されたときは（ステップＳ１１；ＹＥＳ）、複写制限されているものの再生用である高音質の音楽情報Ｍを検出して再生すべく所望される音楽情報Ｍを第１ゾーンＺ１から再生して復号し（ステップＳ１２）、出力信号Ｓoutとして図示しない外部のスピーカ等に出力する（ステップＳ１４）。【００６０】
他方、上記ステップＳ１１の判定において、複写処理が選択されたときは（ステップＳ１１；ＮＯ）、上記対応情報ＲＲ等を用いて所望の圧縮音楽情報ＰＭを第２ゾーンＺ２から再生して復号し（ステップＳ１３）、複写信号Ｓcpとして図示しない外部の複写用レコーダ等に出力する。【００６１】
このとき、上記ステップＳ１２又はＳ１３の処理においては、上記対応情報ＲＲを始めとするアドレス情報等が参照されて所望される音楽情報Ｍ又は圧縮音楽情報ＰＭが検索されて再生されることとなる。【００６２】
そして、出力信号Ｓoutの出力又は複写信号Ｓcpの出力のいずれかが終了したときは（ステップＳ１４又はＳ１５）、次に、所望される再生処理が完了したか否かをディスプレイ１１上の表示等を用いて確認し（ステップＳ１６）、完了しているのであれば（ステップＳ１６；ＹＥＳ）そのまま実施形態の再生処理を終了し、一方、未だ完了していないときは（ステップＳ１６；ＮＯ）再度上記ステップＳ１０に戻って再生処理を実行すべき音楽情報Ｍ又は圧縮音楽情報ＰＭに対して上述してきた再生処理を繰り返す。【００６３】
以上の一連の再生処理により、使用者が所望する曲を上記対応情報ＲＲ等を用いて迅速に検索して再生又は複写することができる。【００６４】
以上、夫々説明したように、実施形態に係るＤＶＤ１、レコーダＲ又はプレーヤＰの動作によれば、非圧縮の複数の音楽情報Ｍと、各音楽情報Ｍの少なくとも一部を含む圧縮音楽情報ＰＭと、これらを対応付ける対応情報ＲＲを含む第２管理情報Ｇ２と、が共に一つのＤＶＤ１内に記録されているので、音楽情報Ｍを非圧縮のまま再生することも、同じ曲を圧縮音楽情報ＰＭとして複写することも、或いは、いずれかの圧縮音楽情報ＰＭに対応する音楽情報Ｍを選んで再生することも可能となり、音楽情報Ｍ又は圧縮音楽情報ＰＭに対応する曲を取り扱う上での利便性が著しく向上する。【００６５】
また、対応情報ＲＲが第２管理情報Ｇ２を参照中においていずれかの音楽情報Ｍを検索するための情報であるので、圧縮音楽情報ＰＭに対応する曲と同じ内容の音楽情報Ｍを再生する場合に迅速に再生すべき音楽情報Ｍを検索することができる。【００６６】
更に、第２管理情報Ｇ２が、圧縮音楽情報ＰＭを他の記録媒体に複写する際の複写制限の内容を示すコピー制御情報５２を含んでいるので、当該圧縮音楽情報ＰＭに対応する音楽情報Ｍの複写制限を適切に管理することができる。【００６７】
更にまた、第２管理情報Ｇ２が、圧縮音楽情報ＰＭに対応付けられている音楽情報Ｍが他の記録媒体に複写することが認められている音楽情報Ｍであるか否かを示すコピー制御情報５２を含んでいるので、第２管理情報Ｇ２を参照するだけで対応する音楽情報Ｍの複写制限状況を確認することができる。【００６８】
また、第２管理情報Ｇ２が音楽情報Ｍを示すグループ番号情報５０等を再生制御情報として含むので、第２管理情報Ｇ２を使用中において音楽情報Ｍを検索する際により多くの音楽情報Ｍに関する情報を得ることができる。【００６９】
（IV）変形形態
次に、本願に係る変形形態について、夫々説明する。【００７０】
先ず、第１の変形形態として、上述した再生処理の他に、図６に示すフローチャートに沿った再生処理を、ＤＶＤ１を対象として実行することも可能である。【００７１】
すなわち、変形形態のプレーヤにおける再生処理としては、図６に示すように、当該プレーヤにおいて再生処理を実行するか又は複写処理用の複写信号の生成を行うかが、その操作部において実行された操作に基づいて判断される（ステップＳ２０）。【００７２】
そして、当該選択処理において再生処理が選択されたときは（ステップＳ２０；ＹＥＳ）、次に、第２管理情報Ｇ２の内容を確認し、選択された再生処理の対象となる音楽につき、当該音楽に対応する音楽情報ＭのＤＶＤ１上の記録位置やその符号化方式等を確認し（ステップＳ２２）、更に再生処理を実行する変形形態のプレーヤにおいて実際にＬＰＣＭ方式に準拠した再生処理が可能か否かを確認する（ステップＳ２３）。【００７３】
ステップＳ２３の判定においてＬＰＣＭ方式に準拠した再生処理が実行可能であるときは（ステップＳ２３；ＹＥＳ）、選択された音楽に対応する音楽情報Ｍを第１ゾーンＺ１内から検出して再生し（ステップＳ２５）、その再生出力を外部に出力して（ステップＳ２６）後述するステップＳ２９の処理に移行する。【００７４】
一方、上記ステップＳ２２の判定において、第１の変形形態のプレーヤにおいてＬＰＣＭ方式に準拠した再生処理が不可能であるときは（ステップＳ２３；ＮＯ）、選択された音楽に対応する圧縮音楽情報ＰＭを第２ゾーンＺ２内から検出して再生し（ステップＳ２４）、その再生出力を外部に出力して（ステップＳ２６）後述するステップＳ２９の処理に移行する。【００７５】
他方、上記ステップＳ２０の判定において、再生処理が選択されていないときは（ステップＳ２０；ＮＯ）、次に、上記選択処理において音楽の他の記録媒体への複写処理が選択されたか否かを再確認する（ステップＳ２１）。【００７６】
そして、複写処理も選択されていないときは（ステップＳ２１；ＮＯ）、第１の変形形態のプレーヤにおいて実行できる処理がないことになるので、そのまま第１の変形形態の再生処理を終了する。【００７７】
一方、ステップＳ２１において複写処理が選択されたときは（ステップＳ２１；ＹＥＳ）、第２管理情報Ｇ２の内容を確認し、選択された複写処理の対象となる音楽につき、当該音楽に対応する圧縮音楽情報ＰＭのＤＶＤ１上の記録位置やその符号化方式等を確認し（ステップＳ２５）、更に選択された音楽に対応する圧縮音楽情報ＰＭを第２ゾーンＺ２内から検出して再生し（ステップＳ２７）、その複写出力を外部に出力する（ステップＳ２８）。【００７８】
そして、変形形態のプレーヤにおける処理を終了する旨の操作が操作部において実行されたか否かを確認し（ステップＳ２９）、その旨の操作が為されていないときは（ステップＳ２９；ＮＯ）再び上記ステップＳ２０に戻って上述した処理を繰り返し、他方、その旨の操作が為されたときは（ステップＳ２９；ＹＥＳ）そのまま第１の変形形態のプレーヤにおける処理を終了する。【００７９】
以上説明した第１の変形形態のプレーヤにおける処理によれば、再生処理又は複写処理において始めに第２管理情報Ｇ２を確認し、その結果に応じてプレーヤの再生能力に基づいて再生処理又は複写処理を実行するので、音楽としての音質を重視した選択を迅速に行うことができる。【００８０】
また、第２の変形形態として、上述した実施形態では、音楽情報Ｍ又は圧縮音楽情報ＰＭを記録しこれを再生する場合について本願を適用した場合を説明したが、これ以外に、非圧縮の画像情報と対応する内容を有する圧縮された画像情報とを一のＤＶＤ内に記録してこれらを再生する場合に本願を適用することもできる。【００８１】
更に、第３の変形形態として、第２管理情報Ｇ２に圧縮音楽情報ＰＭ全てを対象とした再生処理に必要な情報のみ（より具体的には、第１管理情報Ｇ１と同一の情報及び上記各対応情報ＲＲｎのみ）を含ませるように構成することもできる。この場合には、第２管理情報Ｇ２を最初に検出することにより、圧縮音楽情報ＰＭと音楽情報Ｍの両方を全て再生することが可能となる。【００８２】
更にまた、第４の変形形態として、上述した実施形態及び変形形態においては、音楽情報Ｍ又は圧縮音楽情報ＰＭを再生処理又は複写処理の対象とする場合について説明したが、これ以外に、音楽情報だけでなく、例えば動画や静止画等の画像情報の再生処理又は複写処理に対して本願を適用することも可能である。【００８３】
また、第５の変形形態として、図３又は図５のフローチャートに対応するプログラムをフレキシブルディスク又はハードディスク等の情報記録媒体に記録しておき、又はインターネット等を介して取得して記録しておき、これを汎用のコンピュータで読み出して実行することにより、当該コンピュータを実施形態に係るＣＰＵ１０又は２７として活用することも可能である。
【図１】
0004666634.tif 000002
【図２】
0004666634.tif 000003
【図３】
0004666634.tif 000004
【図４】
0004666634.tif 000005
【図５】
0004666634.tif 000006
【図６】
0004666634.tif 000007